(57)【特許請求の範囲】
【請求項１】
電池モジュールを複数直列接続してなる電池ブロックを複数直列接続してなる組み電池から各前記電池モジュールの端子電圧をモジュ−ル電圧検出部により検出する組み電池の電圧検出装置において、
互いに直列接続された高位側抵抗素子とブロック切り替えスイッチとからそれぞれ構成されて、各一端が各電池モジュ−ルの正極に接続される多数の抵抗・スイッチ部と、
電位的に隣接する第一、第二の前記電池ブロックに個別に属する一対の前記電池モジュ−ルの正極から個別に給電される各一対の前記抵抗・スイッチ部の他端に各一端が個別に接続され、各他端が前記モジュール電圧検出部の基準電位入力端に接続される低位側抵抗素子からなる多数の検出抵抗部と、
前記第一の電池ブロックの最低電位の前記電池モジュ−ルの負極、又は、前記第一の電池ブロックより低電位の前記第二の電池ブロックの最高電位の前記電池モジュ−ルの正極にカソ−ドが、前記モジュール電圧検出部の前記基準電位入力端に第一の基準電位切り替えスイッチを介してアノ−ドが接続される第一の逆流防止ダイオ−ドと、
前記第二の電池ブロックに電位的に隣接する第三の前記電池ブロックの最高電位の前記電池モジュ−ルの正極にカソ−ドが、前記モジュール電圧検出部の前記基準電位入力端に第二の基準電位切り替えスイッチを介してアノ−ドが接続される第二の逆流防止ダイオ−ドと、
前記第二の電池ブロックの最低電位の前記電池モジュ−ルの負極と前記第三の前記電池ブロックの最高電位の前記電池モジュ−ルの正極とを接続するヒュ−ズと、
前記第二の逆流防止ダイオードの前記アノ−ドにアノ−ドが接続され、前記第一又は第二の電池ブロックの所定の前記電池モジュ−ルの正極にカソ−ドが接続される回り込み電流禁止ダイオ−ドと、
を備えることを特徴とする組み電池の電圧検出装置。
【請求項２】
請求項１記載の組み電池の電圧検出装置において、
前記回り込み電流禁止ダイオ−ドと直列接続される回り込み電流制限素子を有することを特徴とする組み電池の電圧検出装置。
【発明の詳細な説明】
【０００１】
【発明の属する技術分野】
本発明は、組み電池の電圧検出装置に関する。
【０００２】
【従来の技術】
本出願人の出願になる特開平１１−１６０３７１号公報は、縦続接続された多数の電池モジュ−ルにより構成された複数の電池ブロックを直列接続して構成された組み電池において、各電池モジュ−ルの電圧（モジュール電圧ともいう）を各電池ブロックの中間電位端を基準電位としてモジュール電圧検出部により個別に計測することを提案している。
【０００３】
このようにすれば、モジュール電圧検出部は、共通の電池ブロック内の各電池モジュ−ルの電圧測定を、共通の基準電位（電池ブロックの中間電位端）を基準として計測できるので、モジュール電圧検出部の電力消費の低減や検出誤差の低減を図ることができる。
【０００４】
【発明が解決しようとする課題】
しかしながら、上述した従来の電池モジュ−ルの電圧検出方式では、モジュール電圧検出部は、各電池モジュ−ルの数に等しい差動電圧検出回路を必要とするために、回路構成が大規模となる欠点を有する。
【０００５】
そこで、各モジュール電圧を分圧してモジュ−ル電圧検出部に入力する抵抗分圧回路の電圧検出側の抵抗素子（検出抵抗部）を、電位的に隣接する二つの電池ブロックで共用化し、各抵抗分圧回路の高位側抵抗素子と直列にブロック切り替えスイッチを個別に介設し、更にモジュール電圧検出部の基準電位入力端を互いに異なる基準電位切り替えスイッチを通じて異なる電池ブロックの一端に接続し、これら切り替えスイッチの切り替えにより、これら一対の電池ブロックの電圧測定を共通のモジュール電圧検出部で検出することが考えられる。このようにすれば、抵抗分圧回路の検出抵抗部を共用化でき、また、モジュール電圧検出部も共用化できる。
【０００６】
しかしながら、このようにすると、電池ブロック間に介設されるヒュ−ズが溶断した場合に、組み電池の大きな電圧が上記基準電位切り替えスイッチの両端に印加されるため、この基準電位切り替えスイッチに高価な高耐圧仕様のものを使わざるを得ないという問題が生じた。
【０００７】
本発明は上記問題点に鑑みなされたものであり、低耐圧の基準電位切り替えスイッチを用いて信頼性に優れた組み電池の電圧検出装置を提供することを、その目的としている。
【０００８】
【課題を解決するための手段】
請求項１に記載した本発明の組み電池の電圧検出装置によれば、高圧の組み電池は、電池モジュールを複数直列接続してなる電池ブロックを複数直列接続してなる。電池モジュールとしては単電池を一個もちいてもよく、複数の単電池を直列接続してもよい。
【０００９】
本構成では特に、電池ブロックの最低電位を基準とする各電池モジュ−ルの正極電位を抵抗分圧回路で分圧し、その低位側抵抗素子の電圧を、電池ブロックの最低電位を基準としてモジュール電圧検出部で検出し、各検出電位の差を各電池モジュ−ルの電圧として出力する。ただし、一個の低位側抵抗素子は、電位的に隣接する二つの電池ブロックに個別に属する一対の高位側抵抗素子からブロック切り替えスイッチを通じて交互に給電される。また、モジュール電圧検出部の基準電位入力端も、第二の電池ブロックの最高電位端（第一の電池ブロックの最低電位端でもよい）と第三の電池ブロックの最高電位端とから基準電位切り替えスイッチを通じて交互に給電される。
【００１０】
これにより、第一の電池ブロックの電圧検出は、第一の電池ブロック側の各ブロック切り替えスイッチ及び第一の基準電位切り替えスイッチをオンし、第二の電池ブロック側の各ブロック切り替えスイッチ及び第二の基準電位切り替えスイッチをオフして行い、第二の電池ブロックの電圧検出は、上記切り替えスイッチを逆動作させて行う。
【００１１】
また、これら二つの基準電位切り替えスイッチが同時にオンして電池ブロックの両端が短絡されるのを防止するために、各基準電位切り替えスイッチと直列に逆流防止ダイオードを介設しておく。
【００１２】
上記構成を採用することにより、モジュール電圧検出部は、各低位側抵抗素子の電位を共通の基準電位を元に測定することができるので、各低位側抵抗素子の電位を検出するモジュール電圧検出部内の回路の電源電圧を共通化でき、モジュール電圧検出部の回路構成を簡素化することができる。
【００１３】
また、抵抗分圧回路の低位側抵抗素子数を半減し、モジュール電圧検出部の回路構成を半減することができる。
【００１４】
更に、互いに接続された複数のブロック切り替えスイッチの一つが短絡故障した状態で、残りのブロック切り替えスイッチをオンしても、これら両切り替えスイッチを経由して流れる短絡電流は抵抗素子により抑制されるので安全性に優れる。
【００１５】
なお、マルチプレクサを用いて各低位側抵抗素子の電位を時間順次に計測する場合には、モジュール電圧検出部は単一の回路をもてばよく、一層の回路構成簡素化を実現することができる。このマルチプレクサとしては、後述するように、低位側抵抗素子と直列に接続される低位側切り替えスイッチにより構成することができ、このようにすれば、各電池モジュ−ルの電圧に合わせて低位側抵抗素子の値を変更することができる。
【００１６】
また、第二の電池ブロックの最低電位端と第三の電池ブロックの最高電位端との間にヒュ−ズを設ける。これにより漏電や電池故障などの原因で、組み電池に異常大電流が流れるのを阻止することができる。
【００１７】
本発明では更に、第二の逆流防止ダイオードと第二の基準電位切り替えスイッチとの接続点を、回り込み電流禁止ダイオ−ドを通じて、いずれかの電池モジュ−ル、好ましくは第二の電池ブロックの最低電位の電池モジュ−ルの正極に接続する。
【００１８】
このようにすれば、万が一、このヒュ−ズが切れた場合でも、上記逆流防止ダイオードの漏れ電流により基準電位切り替えスイッチなどに過大な電池電圧が印加されるのを阻止することができ、基準電位切り替えスイッチを低耐圧仕様のものを用いることができる。上記したこの問題及びその解決策の内容は、複雑であるので、後述する実施例により具体的に説明するものとする。
【００１９】
請求項２記載の構成によれば請求項１記載の組み電池の電圧検出装置において更に、回り込み電流禁止ダイオ−ドと直列に回り込み電流制限用の素子を接続する。
【００２０】
このようにすれば、逆流防止ダイオードの耐圧を低減することができるとともに、回り込み電流禁止ダイオ−ドが故障した場合の短絡電流を低減することができ、一層の安全性向上を図ることができる。
【００２１】
【発明の実施の形態】
以下、本発明の好適な態様を以下の実施例により詳細に説明する。ただし、本発明は下記の実施例の構成に限定されるものではなく、置換可能な公知回路を用いて構成できることは当然である。
【００２２】
【実施例１】
本発明の組み電池の電圧検出装置の一実施例を図１に示す回路図を参照して説明する。
（構成）
１は組み電池であり、高位側から順に４つの電池ブロック１１〜１４を直列接続してなる。電池ブロック（第一の電池ブロック）１１は５つの電池モジュールＢＡＴ０１〜ＢＡＴ０５を直列接続してなり、電池ブロック（第二の電池ブロック）１２は５つの電池モジュールＢＡＴ０６〜ＢＡＴ１０を直列接続してなり、電池ブロック（第三の電池ブロック）１３は５つの電池モジュールＢＡＴ１１〜ＢＡＴ１５を直列接続してなり、電池ブロック（第四の電池ブロック）１４は５つの電池モジュールＢＡＴ１６〜ＢＡＴ２０を直列接続してなる。
【００２３】
２は、抵抗分圧回路網である。
【００２４】
抵抗素子Ｒ１、Ｒ３、Ｒ５、Ｒ７、Ｒ９は、電池ブロック１１の電圧を検出するための抵抗分圧回路の高位側抵抗素子であり、ブロック切り替えスイッチＳＷ１〜ＳＷ５、低位側抵抗素子Ｒ２、Ｒ４、Ｒ６、Ｒ８、Ｒ１０を個別に通じて基準電位ライン１００に接続されている。
【００２５】
抵抗素子Ｒ１１、Ｒ１３、Ｒ１５、Ｒ１７、Ｒ１９は、電池ブロック１２の電圧を検出するための抵抗分圧回路の高位側抵抗素子であり、ブロック切り替えスイッチＳＷ６〜ＳＷ１０、低位側抵抗素子Ｒ２、Ｒ４、Ｒ６、Ｒ８、Ｒ１０を個別に通じて基準電位ライン１００に接続されている。
【００２６】
抵抗素子Ｒ２１、Ｒ２３、Ｒ２５、Ｒ２７、Ｒ２９は、電池ブロック１３の電圧を検出するための抵抗分圧回路の高位側抵抗素子であり、ブロック切り替えスイッチＳＷ１１〜ＳＷ１５、低位側抵抗素子Ｒ２２、Ｒ２４、Ｒ２６、Ｒ２８、Ｒ３００を個別に通じて基準電位ライン２００に接続されている。
【００２７】
抵抗素子Ｒ３１、Ｒ３３、Ｒ３５、Ｒ３７、Ｒ３９は、電池ブロック１４の電圧を検出するための抵抗分圧回路の高位側抵抗素子であり、ブロック切り替えスイッチＳＷ１６〜ＳＷ２０、低位側抵抗素子Ｒ２２、Ｒ２４、Ｒ２６、Ｒ２８、Ｒ３０を個別に通じて基準電位ライン２００に接続されている。
【００２８】
基準電位ライン１００は、基準電位切り替えスイッチＳＷ２１及び逆流防止ダイオードＤ１を通じて第二の電池ブロック１２の最高電位端に接続され、更に、基準電位切り替えスイッチＳＷ２２及び逆流防止ダイオードＤ２を通じて第三の電池ブロック１３の最高電位端に接続されている。
【００２９】
基準電位ライン２００は、基準電位切り替えスイッチＳＷ２３及び逆流防止ダイオードＤ３を通じて第四の電池ブロック１４の最高電位端に接続され、更に、基準電位切り替えスイッチＳＷ２４及び逆流防止ダイオードＤ４を通じて第四の電池ブロック１４の最低電位端に接続されている。
【００３０】
３は、ヒュ−ズであり、第二の電池ブロックの最低電位端と第三の電池ブロックの最高電位端との間に介設されている。
【００３１】
Ｄ０は、回り込み電流禁止ダイオ−ドであり、そのアノ−ドは、基準電位切り替えスイッチＳＷ２２と逆流防止ダイオードＤ２のアノ−ドとの接続端に回り込み電流制限用の抵抗素子Ｒ０を通じて接続され、そのカソ−ドは第二の電池ブロック１２の最低電位の電池モジュ−ルＢＡＴ１０の正極に接続されている。
【００３２】
４は、内部に５チャンネルのＡ／Ｄ変換回路を有するモジュール電圧検出部であり、その基準電位入力端ＶＳＳは基準電位ライン１００に接続され、各Ａ／Ｄ変換回路の＋電位入力端ＣＨ０、ＣＨ１、ＣＨ２、ＣＨ３、ＣＨ４は、低位側抵抗素子Ｒ２、Ｒ４、Ｒ６、Ｒ８、Ｒ１０の高位端に個別に接続されている。モジュール電圧検出部４の５チャンネルのＡ／Ｄ変換回路は、上記＋電位入力端ＣＨ０、ＣＨ１、ＣＨ２、ＣＨ３、ＣＨ４と、基準電位入力端ＶＳＳとの間の電位差をデジタル信号に変換する。
【００３３】
５は、内部に５チャンネルのＡ／Ｄ変換回路を有するモジュール電圧検出部であり、その基準電位入力端ＶＳＳは基準電位ライン２００に接続され、各Ａ／Ｄ変換回路の＋電位入力端ＣＨ０、ＣＨ１、ＣＨ２、ＣＨ３、ＣＨ４は、低位側抵抗素子Ｒ２２、Ｒ２４、Ｒ２６、Ｒ２８、Ｒ３０の高位端に個別に接続されている。モジュール電圧検出部５の５チャンネルのＡ／Ｄ変換回路は、上記＋電位入力端ＣＨ０、ＣＨ１、ＣＨ２、ＣＨ３、ＣＨ４と、基準電位入力端ＶＳＳとの間の電位差をデジタル信号に変換する。
【００３４】
各切り替えスイッチＳＷ１〜ＳＷ２０、ＳＷ２１〜ＳＷ２４は、フォトＭＯＳトランジスタとそれに光信号を照射するＬＥＤとを有し、各フォトＭＯＳトランジスタはそれぞれ対面するＬＥＤからの光信号により駆動されて開閉される。
（動作）
以下、動作を説明する。ただし、電池ブロック１３の電圧検出動作は電池ブロック１１のそれと本質的に同じであり、電池ブロック１４の電圧検出動作は電池ブロック１２のそれと本質的に同じであるので、説明は省略する。
【００３５】
電池ブロック１１の電池モジュールＢＡＴ０１〜ＢＡＴ０５の電圧検出時には、切り替えスイッチＳＷ１〜ＳＷ５、ＳＷ２１をオンしてモジュール電圧検出部４のＡ／Ｄコンバータは基準電位ライン１００および切り替えスイッチＳＷ２１を通じて電池モジュールＢＡＴ０６の正極から基準電位ＶＳＳを受け取る。この時、切り替えスイッチＳＷ６〜ＳＷ１０及び切り替えスイッチＳＷ２２をオフすることにより、電池モジュ−ルＢＡＴ０６の正極電位より逆流防止ダイオードＤ１の順方向電圧降下分だけ高電位の電位を基準として、電池ブロック１１の各電池モジュールＢＡＴ０１〜ＢＡＴ０５の正極電位がデジタル信号に変換されて図示しないコントローラに出力され、このコントローラが減算処理により各電池モジュールＢＡＴ０１〜ＢＡＴ０５の電圧を検出する。
【００３６】
同様に、電池ブロック１２の電池モジュールＢＡＴ０６〜ＢＡＴ１０の電圧検出時には、切り替えスイッチＳＷ６〜ＳＷ１０、ＳＷ２２をオンしてモジュール電圧検出部４のＡ／Ｄコンバータは基準電位ライン１００および切り替えスイッチＳＷ２２を通じて電池モジュールＢＡＴ１１の正極から基準電位ＶＳＳを受け取る。この時、切り替えスイッチＳＷ１〜ＳＷ５及び切り替えスイッチＳＷ２１をオフすることにより、電池モジュ−ルＢＡＴ１１の正極電位より逆流防止ダイオードＤ２の順方向電圧降下分だけ高電位の電位を基準として、電池ブロック１２の各電池モジュールＢＡＴ０６〜ＢＡＴ１０の正極電位がデジタル信号に変換されて図示しないコントローラに出力され、このコントローラが減算処理により各電池モジュールＢＡＴ０６〜ＢＡＴ１０の電圧を検出する。
【００３７】
この実施例によれば、同一の電池ブロック内の各分圧回路からモジュ−ル電圧検出部に出力される分圧からなるモジュ−ル電圧信号は、基準電位ラインの電位からなる共通電位を基準とする電位信号となるため各モジュ−ル電圧検出部に印加する電源電圧を共用化することができるので、電源回路の簡素化を図ることができる上に、この場合におけるモジュ−ル電圧検出部への入力信号電圧の増大を分圧回路の採用により低減するので、入力電圧の増大を抑止しつつ回路構成の簡素化を図ることができる。
【００３８】
更に、この実施例では、分圧回路の基準電位ライン側の抵抗素子Ｒ２、Ｒ４．Ｒ６、Ｒ８、Ｒ１０はそれぞれ二つの分圧回路の一部を構成するので、抵抗素子数を減らすことができる。
【００３９】
次に、逆流防止ダイオードＤ１、Ｄ２の機能について説明する。
【００４０】
基準電位切り替えスイッチＳＷ２１がなんらかの原因で故障して常時オンとなったとする。この状態で基準電位切り替えスイッチＳＷ２２をオンすると、第二の電池ブロック１２の両端が短絡されてしまう。この問題は、基準電位切り替えスイッチＳＷ２２がなんらかの原因で故障して常時オンしている状態で、基準電位切り替えスイッチＳＷ２１をオンする場合も同じである。
【００４１】
この問題は逆流防止ダイオードＤ１、Ｄ２を設けることにより、この短絡電流を阻止することにより解決することができる。
【００４２】
次に、回り込み電流禁止ダイオ−ドＤ０の機能について説明する。
【００４３】
ヒュ−ズ３が溶断したり、又は、ヒュ−ズ３を外したりすると、電池モジュ−ルＢＡＴ１１の正極が最高電位となり、ＢＡＴ１０の負極が最低電位となり、それらの間に組み電池１の開放電圧（たとえば４００Ｖ）が印加されることになる。
【００４４】
すべての切り替えスイッチが開いてる状態（電池電圧を検出しない場合）、切り替えスイッチＳＷ２２のａ端には、逆流防止ダイオードＤ２の漏れ電流により充電されて電池モジュ−ルＢＡＴ１１の正極電位にほぼ等しい電位に充電される。また、切り替えスイッチＳＷ１０のｂ端は、組み電池１の最低電位である電池モジュ−ルＢＡＴ１０の低位端より電池モジュ−ルＢＡＴ１０だけ高い電位となる。この結果、切り替えスイッチＳＷ１０のｃ端は抵抗Ｒ１０を通じて切り替えスイッチＳＷ２２のｄ端に接続されるので、一対の切り替えスイッチＳＷ１０、２２にはほぼ組み電池１の全電圧が印加されることになり、各切り替えスイッチをこれに十分耐え得る耐圧仕様とする必要が生じる。
【００４５】
これに対し、本実施例では、切り替えスイッチＳＷ２２のａ端と電池モジュ−ルＢＡＴ１０の正極とを回り込み電流禁止ダイオ−ドＤ０を通じて接続する。
【００４６】
このようにすれば、もしヒュ−ズ３が溶断しても、切り替えスイッチＳＷ２２のａ端の電位は電池モジュ−ルＢＡＴ１０の正極電位より回り込み電流禁止ダイオ−ドＤ０の順方向電圧降下分だけ高いだけであるので、切り替えスイッチＳＷ１０、ＳＷ２２の耐圧増大はまったく必要がない。なお、逆流防止ダイオードＤ２には、組み電池１の全電圧のほとんどが印加されることになるが、ダイオ−ドＤ２の高耐圧化は容易であるので、大きなコストアップを招くことはない。また、ヒュ−ズ３が健全な場合は、回り込み電流禁止ダイオ−ドＤ０には電池モジュ−ルＢＡＴ１０の電圧から逆流防止ダイオードＤ２の順方向電圧降下を差し引いた分の逆電圧がかかるだけであるので、その耐圧増大は不要となる。
【００４７】
更に、この実施例では、回り込み電流禁止ダイオ−ドＤ０と直列に回り込み電流制限用の抵抗Ｒ０を接続しているので、ヒュ−ズ３の溶断時に逆流防止ダイオードＤ２の逆電圧を低減することができる。
（変形態様）
上記実施例では、回り込み電流禁止ダイオ−ドＤ０のカソ−ドは電池モジュ−ル１０の正極に接続したが、第一又は第二の電池モジュ−ル１１、１２の他の電池モジュ−ルの正極に接続してもよい。
【００４８】
【実施例２】
本発明の組み電池の電圧検出装置の他実施例を図２に示す部分回路図を参照して説明する。
【００４９】
この実施例の装置は、実施例１の抵抗分圧回路２を抵抗分圧回路２ａに変更し、モジュール電圧検出部４をモジュール電圧検出部４ａに変更したものである。
【００５０】
抵抗分圧回路２ａは、抵抗分圧回路２の低位側抵抗素子Ｒ２、Ｒ４、Ｒ６、Ｒ８、Ｒ１０を、低位側抵抗素子Ｒ１００、Ｒ１０１、Ｒ１０２とそれらと個別に直列接続されれた抵抗切り替えスイッチＳＷ１００、ＳＷ１０１、ＳＷ１０２に置換したものである。
【００５１】
モジュール電圧検出部４ａは、モジュール電圧検出部４の５つのＡ／Ｄコンバ−タの代わりに１つのＡ／Ｄコンバ−タとしたものである。
（動作）
以下、変更部分の動作を中心に動作を説明する。
ただし、電池ブロック１３の電圧検出動作は電池ブロック１１のそれと本質的に同じであり、電池ブロック１１の電圧検出動作は、切り替えスイッチＳＷ１〜ＳＷ５、ＳＷ２１をオンし、切り替えスイッチＳＷ６〜ＳＷ１０及び切り替えスイッチＳＷ２２をオフして行う。
【００５２】
ただし、モジュール電圧検出部４ａが１チャンネルしかないので、ＳＷ１〜ＳＷ５は順番にオンする。
【００５３】
また、低位側抵抗素子はＲ１００〜Ｒ１０２の３つしかないので、ＳＷ１オン時にはＳＷ１００〜ＳＷ１０２をすべてオンして低位側抵抗素子の等価抵抗を小さくする。ＳＷ２オン時にはＳＷ１００、ＳＷ１０１だけをオンして低位側抵抗素子の等価抵抗を二番目に小さい値とする。ＳＷ３オン時にはＳＷ１０２だけをオンして低位側抵抗素子の等価抵抗を三番目に小さい値とする。ＳＷ４オン時にはＳＷ１０１だけをオンして低位側抵抗素子の等価抵抗を四番目に小さい値とする。ＳＷ５オン時にはＳＷ１００だけをオンして低位側抵抗素子の等価抵抗を最も高い値とする。電池ブロック１２の電圧検出時も同じである。
（変形態様）
なお、抵抗分圧回路２ａの低位側抵抗素子は図１と同じく低位側抵抗素子Ｒ２、Ｒ４、Ｒ６、Ｒ８、Ｒ１０を設け、各低位側抵抗素子ごとに、抵抗切り替えスイッチＳＷ１００、ＳＷ１０１、ＳＷ１０２と同様の抵抗切り替えスイッチを一個づつ直列に設け、順番にオンしてもよい。
（効果）
このようにすれば、回路構成を簡素化することができる。また、この抵抗切り替えスイッチＳＷ１００、ＳＷ１０１、ＳＷ１０２の各一端は基準電位ライン１００に接続されるので、たとえばＮＭＯＳトランジスタをソ−ス接地接続形式で使用することができ、フォトＭＯＳトランジスタのごとき、入出力分離型切り替えスイッチを省略することができ、回路構成が一層簡素となる。
（変形態様）
なお、図２において、抵抗分圧回路２ａの低位側抵抗素子Ｒ１００、Ｒ１０１、Ｒ１０２とそれらと個別に直列接続されれた抵抗切り替えスイッチＳＷ１００、ＳＷ１０１、ＳＷ１０２を単一の低位側抵抗素子に置換してもよい。
【図面の簡単な説明】
【図１】本発明の組み電池の電圧検出装置の一例を示す回路図である。
【図２】本発明の組み電池の電圧検出装置の他例を示す回路図である。
【符号の説明】
１は組み電池、２は抵抗分圧回路、３はヒュ−ズ、４、５はモジュール電圧検出部、１００、２００は基準電位ライン、ＳＷ２１〜ＳＷ２４は基準電位切り替えスイッチ、ＳＷ１〜ＳＷ２０はブロック切り替えスイッチ、Ｄ１〜Ｄ４は逆流防止ダイオード、Ｄ０は回り込み電流禁止ダイオ−ド、Ｒ０は回り込み電流制限抵抗素子である。
【図１】
0003555534.tif 000002
【図２】
0003555534.tif 000003